(57)【要約】【課題】  ドア閉じ状態におけるスライドキーのスライド操作によってスイッチ本体への操作キー挿抜と受け金具へのカンヌキ部材挿抜を同時に行うよう構成したドアスイッチに用いるスライドキーにおいて、ドアが開放された状態でスライドキーがスライド突出していても、操作キーが他物にぶつかって変形損傷することを回避できるようにする。【解決手段】  カンヌキ部材１１にガード部Ｇを連設し、このガード部Ｇの平面形状の内部に操作キー１８を位置させる。この場合、カンヌキ部材１１のスライド方向から見た断面形状を外側縦辺部１１ａと横辺部１１ｂを連ねたＬ形に構成して、これら外側縦辺部１１ａと横辺部１１ｂとで囲まれた空間に操作キー１８を位置させると、操作キー１８の保護機能が高く、かつ、操作キー１８のメンテナンス性にも優れたものとなる。【選択図】        図３
2006140040.tif 000002
【特許請求の範囲】
【請求項１】
出入り口の固定枠にスイッチ本体と受け金具とを取り付けるとともに、前記スイッチ本体に横方向から挿抜される操作キーと前記受け金具に横方向から挿抜されるカンヌキ部材とを一体化してなる当該スライドキーを揺動開閉可能なドアの端部にスライド操作可能に取り付け、ドア閉じ状態におけるスライド操作によってスイッチ本体への操作キーと受け金具へのカンヌキ部材の挿抜を同時に行うドアスイッチに用いるスライドキーであって、
前記カンヌキ部材にガード部を形成するとともに、このガード部によって保護されるように前記操作キーを配置したことを特徴とするスライドキー。
【請求項２】
出入り口の固定枠にスイッチ本体と受け金具とを取り付けるとともに、前記スイッチ本体に横方向から挿抜される操作キーと前記受け金具に横方向から挿抜されるカンヌキ部材とを一体化してなる当該スライドキーを揺動開閉可能なドアの端部にスライド操作可能に取り付け、ドア閉じ状態におけるスライド操作によってスイッチ本体への操作キーと受け金具へのカンヌキ部材の挿抜を同時に行うドアスイッチに用いるスライドキーであって、
前記操作キーを、該操作キーの表面側が前記カンヌキ部材によって隠れるように、該カンヌキ部材の裏面側に配置したことを特徴とするスライドキー。
【請求項３】
前記ガード部が形成された前記カンヌキ部材のスライド方向から見た断面形状を、Ｌ形に構成し、該Ｌ形で囲まれた空間に、前記操作キーを配置してある請求項１に記載のスライドキー。
【請求項４】
前記ドアに対してスライド自在に装着されたスライド板に前記カンヌキ部材を連結するとともに、このカンヌキ部材の基部に前記操作キーを取り付けてある請求項１〜３のいずれか１項に記載のスライドキー
【請求項５】
前記スライド板に、取っ手を連結した請求項４に記載のスライドキー。
【請求項６】
出入り口の固定枠にスイッチ本体と受け金具を取り付けるとともに、前記請求項５に記載のスライドキーを揺動開閉可能なドアの端部にスライド操作可能に取り付け、ドア閉じ状態におけるスライド操作によってスイッチ本体への操作キーと受け金具へのカンヌキ部材の挿抜を同時に行うドアスイッチであって、
前記受け金具の突出高さを前記取っ手の突出高さと略同等にしてあることを特徴とするドアスイッチ。
【発明の詳細な説明】
【技術分野】
【０００１】
本発明は、産業用機器、産業用ロボット等が設置された作業エリアにおける安全扉やフェンス扉などの出入り口に装備するドアスイッチおよびそれに用いるスライドキーに関する。
【背景技術】
【０００２】
上記ドアスイッチは、不用意な作業エリアへの侵入による事故を未然に防止するために用いられるものであり、作業エリアにおける出入り口の固定枠にスイッチ本体が取り付けられるとともに出入り口を揺動開閉するドアの端部に操作キーが設けられ、ドアを閉じられて操作キーがスイッチ本体に挿入されると電源が入れられ、ドアが開かれて操作キーが抜かれることで電源が切られ、ドアが正しく閉じられていないと内部の機器が作動されないようになっている（例えば、特許文献１参照）。
【０００３】
また、出入り口の固定枠にスイッチ本体と受け金具を取り付けるとともに、スイッチ本体に横方向から挿抜される操作キーと受け金具に横方向から挿抜されるカンヌキ部材とを一体化してなる取っ手付きのスライドキーを揺動開閉可能なドアの端部にスライド操作可能に取り付け、ドア閉じ状態におけるスライドキーのスライド操作によってスイッチ本体への操作キーの挿抜と受け金具へのカンヌキ部材の挿抜を同時に行うよう構成して、受け金具とカンヌキ部材との係合によってドアを閉じ位置に固定しておく機能を発揮させるように構成したドアスイッチも実用化されている。
【特許文献１】特開２００２−１５７９４４号公報
【発明の開示】
【発明が解決しようとする課題】
【０００４】
従来の上記スライドキーは、ドア端部に向けて片持ち状に支持された操作キーと平行にカンヌキ部材が並列配置された構造となっており、スライドキーが後退スライドされている状態では、操作キーはドアの端部より退入しているのであるが、ドアが開放された状態でスライドキーが突出スライドされると操作キーはドアの端部から突出して露出することになる。
【０００５】
このために、スライドキーが突出スライドされていることに気づかずにドアを閉じたような場合、突出している操作キーが受け金具や出入り口の固定枠にぶつかることになり、勢いよくドアを閉じると操作キーを変形あるいは損傷するおそれがある。また、作業者が大型の工具や加工部品などを持って出入り口を通過する際にスライドキーがスライド突出されていると、突出している操作キーに工具や加工部品をぶつけてしまうおそれもあった。
【０００６】
また、従来のスライドキーに備えられた取っ手は、スライドキーの操作とドアの開閉を行いやすくするために相当大型のものが用いられ、取っ手がドアから相当大きく突出している。このために、ドアを閉じてスライドキーを適正にスライド操作した運転状態において、ドア近くを通行する作業者が誤って大きく突出している取っ手にぶつかってスライドキーが退入スライドされ、電源が切れて内部の機器が急停止してしまうおそれもあった。
【０００７】
本発明は、このような実情に着目してなされたものであって、ドアが開放された状態でスライドキーがスライド突出していても、操作キーが他物にぶつかって変形損傷することを回避できるようにすることを主たる目的とし、また、ドアが閉じられた状態でスライドキーが誤って後退スライドされてしまうことがないようにすることを他の目的とするものである。
【課題を解決するための手段】
【０００８】
本発明は、上述の目的を達成するために、次のように構成している。
【０００９】
すなわち、本発明のスライドキーは、出入り口の固定枠にスイッチ本体と受け金具とを取り付けるとともに、前記スイッチ本体に横方向から挿抜される操作キーと前記受け金具に横方向から挿抜されるカンヌキ部材とを一体化してなる当該スライドキーを揺動開閉可能なドアの端部にスライド操作可能に取り付け、ドア閉じ状態におけるスライド操作によってスイッチ本体への操作キーと受け金具へのカンヌキ部材の挿抜を同時に行うドアスイッチに用いるスライドキーであって、前記カンヌキ部材にガード部を形成するとともに、このガード部によって保護されるように前記操作キーを配置している。
【００１０】
ここで、カンヌキ部材とは、安全扉などの出入り口の固定枠に取り付けられた受け金具に差し通して用いる部材をいう。
【００１１】
ガード部が形成されたカンヌキ部材は、操作キーを囲んで保護する形状であるのが好ましく、操作キーの全周を囲むように、筒状などであってもよいし、操作キーの保護すべき面、例えば、上面、下面あるいは側面を囲むように、例えば、断面コの字状であってもよい。
【００１２】
本発明によると、ドアが開放された状態でスライドキーがドア端部から突出されていることに気づかずにドアを閉じたような場合でも、操作キーを保護するガード部が受け金具にぶつかるだけで、操作キーに直接に外力が加わることはない。また、作業者が大型の工具や加工部品などを持って出入り口を通過する際に、これら工具や加工部品を突出しているスライドキーに誤ってぶつけたとしても、ガード部が操作キーを保護することになる。
【００１３】
従って、ドアが開放された状態でスライドキーがスライド突出していても、操作キーが他物にぶつかって変形あるいは損傷することを回避することができ、耐久性に優れたドアスイッチを構成することができる。
【００１４】
また、本発明のスライドキーは、出入り口の固定枠にスイッチ本体と受け金具とを取り付けるとともに、前記スイッチ本体に横方向から挿抜される操作キーと前記受け金具に横方向から挿抜されるカンヌキ部材とを一体化してなる当該スライドキーを揺動開閉可能なドアの端部にスライド操作可能に取り付け、ドア閉じ状態におけるスライド操作によってスイッチ本体への操作キーと受け金具へのカンヌキ部材の挿抜を同時に行うドアスイッチに用いるスライドキーであって、前記操作キーを、該操作キーの表面側が前記カンヌキ部材によって隠れるように、該カンヌキ部材の裏面側に配置している。
【００１５】
ここで、操作キーの表面側がカンヌキ部材によって隠れるとは、カンヌキ部材が、操作キーの表面側を遮って見えないことをいい、カンヌキ部材の投影領域内に操作キーが配置されていることをいう。
【００１６】
また、操作キーの表面の全面が、カンヌキ部材によって完全に隠れる必要はなく、少なくとも一部が隠れるものであってもよい。
【００１７】
本発明によると、操作キーが、カンヌキ部材の裏面側に配置されているので、作業者が大型の工具や加工部品などを持って出入り口を通過する際に、これら工具や加工部品を突出しているスライドキーに誤ってぶつけたとしても、カンヌキ部材が操作キーを保護することになる。
【００１８】
本発明の好ましい実施態様においては、前記ガード部が形成された前記カンヌキ部材のスライド方向から見た断面形状を、Ｌ形に構成し、該Ｌ形で囲まれた空間に、前記操作キーを配置している。
【００１９】
この実施態様によると、カンヌキ部材の曲げ強度が高いものにして操作キーの保護機能を充分に発揮するものでありながら、操作キーを上方およびドア内側から覗き見てその変形や摩損などを容易に視認することができ、操作キーのメンテナンス性にも優れたものとなる。
【００２０】
本発明の一実施態様においては、前記ドアに対してスライド自在に装着されたスライド板に前記カンヌキ部材を連結するとともに、このカンヌキ部材の基部に前記操作キーを取り付けている。
【００２１】
この実施態様によると、例えばスライド板にカンヌキ部材と操作キーとを別個に取り付けて一体化する場合に比べて、両者を相対位置精度の高い状態で一体化することができ、操作キーの耐久性に優れるとともに作動精度の高いスライドキーを構成することができる。
【００２２】
本発明の他の実施態様においては、前記スライド板に、取っ手を連結している。
【００２３】
この実施態様によると、取っ手を持って容易にスライド操作することができる。
【００２４】
本発明のドアスイッチは、出入り口の固定枠にスイッチ本体と受け金具を取り付けるとともに、本発明のスライドキーを揺動開閉可能なドアの端部にスライド操作可能に取り付け、ドア閉じ状態におけるスライド操作によってスイッチ本体への操作キーと受け金具へのカンヌキ部材の挿抜を同時に行うドアスイッチであって、前記受け金具の突出高さを前記取っ手の突出高さと略同等にしている。
【００２５】
ここで、略同等とは、突出高さの差が、数ｃｍ以内、好ましくは、数ｍｍ以内であることをいう。
【００２６】
この受け金具の突出高さは、前記取っ手の突出高さと同じかあるいは、若干高い方が好ましい。
【００２７】
本発明によると、ドアを閉じてスライドキーを適正にスライドした運転状態において、出入り口近くを通行する作業者が誤ってドアにぶつかってきても、作業者は受け金具に先行して接触することになって取っ手が退入スライド方向に押されるようなことが回避され、運転中にスライドキーが誤って退入スライドされて内部の機器が急停止してしまうことが未然に回避される。
【発明を実施するための最良の形態】
【００２８】
以下、図面によって、本発明の実施の形態について、詳細に説明する。
【００２９】
図１は、ドア閉じ状態にある出入り口の平面図、図２は、ドアスイッチにおけるスイッチ本体および受け金具を示す斜視図、図３は、突出スライド状態のスライドキーを示す斜視図、図４は、ドア閉じロック状態に操作されたドアスイッチ部を示す斜視図である。
【００３０】
図１において、出入り口１の上方が、産業用機器、産業用ロボット、等の作業エリアＡとなっており、出入り口１の左右端を形成する一方の固定枠２に、縦軸支点ｘ周りに外開き揺動可能にドア３がヒンジ連結されるとともに、他方の固定枠４とドア３の遊端側とに亘って安全用のドアスイッチＳが装備されている。
【００３１】
ドアスイッチＳは、固定枠４に取付け固定されたスイッチ本体５と受け金具６、および、ドア３の遊端部外側面に横スライド可能に装着されたスライドキー７の組合わせとして構成されている。
【００３２】
図２に示すように、前記スイッチ本体５は、固定枠４の外側面にネジ連結された取付け基板８に横向き姿勢で取り付けられており、そのヘッド部５ａの端面に出入り口１側に向けて開口されたキー挿入口９が設けられている。詳細な構成は図示されていないが、スイッチ本体５の内部には、キー挿入口９に専用の操作キー１８が挿抜されることで正逆に回転操作される回転カムと、このカムの正逆回転によって接点切換えが行われるスイッチング機構が内装されており、作業エリアＡに設置された各種機器に対する駆動用電源の入り切りが行われるようになっている。
【００３３】
前記受け金具６も前記取付け基板８に固着されており、スイッチ本体５のヘッド部５ａを挿入する矩形の開口１０と、スライドキー７に備えられた後述するカンヌキ部材１１が挿抜されるＬ形の係合孔１２が形成されている。また、受け金具６の下部には、突出スライドされたスライドキー７を吸着保持するマグネットキャッチ１３が装着されるとともに、受け金具６の上端にはロックアウト用のタグ片１４が横向き支点ｙ周りに上下回動可能に枢着されており、通常は、図２中の仮想線に示すよう上方に振り上げ反転されて受け金具６の前面を開放した姿勢に保持されており、必要に応じて下方に振り下げ回動して受け金具６の前面を覆うロックアウト姿勢に切換え可能となっている。
【００３４】
他方、図３に示すように、ドア３における遊端側周枠３ａの外側面には取付け基板１５がネジ連結され、この取付け基板１５に前記スライドキー７が横スライド可能に支持されている。
【００３５】
スライドキー７は、前記取付け基板１５にガイドレール１６を介して横スライド可能に支持されたスライド板１７、操作キー１８、前記カンヌキ部材１１、取っ手１９、図１に示す内側取っ手２０、等で構成されており、スライド板１７の前端部から操作キー１８とカンヌキ部材１１がドア遊端側に向けて片持ち状に平行して突設されている。操作キー１８は、カンヌキ部材１１の裏面側に配置されており、正面から見ると、操作キー１８の表面が、カンヌキ部材１１によって遮られて隠れるような状態となっている。
【００３６】
また、取っ手１９はその平面形状がアーチ形に屈曲されており、スライド板１７の前後に亘ってネジ連結され、また、内側取っ手２０はスライド板１７の後端部にネジ連結され、図４に示すようにドア３に形成されたスリット２１を貫通してドア内側に延出されている。
【００３７】
ここで、前記受け金具６のドア外側面からの突出高さが、後述の図６、図８に示すように、取っ手１９の突出高さと略同等に設定されており、スライドキー７の後退スライド方向に移動する人や他物が接近してきても、受け金具６に先行して接触することで、取っ手１９が人や他物によって後退スライド方向に押されることが未然に回避されるようになっている。
【００３８】
カンヌキ部材１１は、鍛造あるいはダイキャスト成型されたものであり、図９に示すように、そのスライド方向から見た断面形状が、外側縦辺部１１ａの下端に横辺部１１ｂを連設したＬ形に形成され、その後端基部がスライド板１７の前端部にネジ連結されている。
【００３９】
また、前記操作キー１８は、金属平板を所定の形状に打ち抜き加工して構成されたものであり、カンヌキ部材１１における基部内側に縦姿勢でネジ連結されている。また、操作キー１８は、カンヌキ部材１１における横辺部１１ｂの平面形状の内部に位置するように、外側縦辺部１１ａと横辺部１１ｂとで囲まれた空間に配備されている。つまり、カンヌキ部材１１の横辺部１１ｂは操作キー１８に他物がドア内側から接触するのを防止するガード部Ｇとして構成されている。
【００４０】
また、カンヌキ部材１１における基部下面には、前記マグネットキャッチ１３に対向する鉄板製の吸着片２２が取り付けられている。
【００４１】
本発明に係るドアスイッチのスライドキー７は以上のように構成されており、図５，図６に示すように、スライドキー７を後退スライドさせた状態でドア２を閉じ位置まで揺動し、次に、取っ手１９を持ってスライドキー７を突出スライド操作すると、図７，図８に示すように、操作キー１８がスイッチ本体５のキー挿入口９に挿入されることで接点切換えが行われて電源が入れられるとともに、カンヌキ部材１１が受け金具６の係合孔１２に挿通係合されてドア３の開放揺動が阻止された状態となる。この場合、マグネットキャッチ１３が吸着片２２を吸引してスライドキー７の後退スライドに適度の抵抗が与えられる。
【００４２】
また、スライドキー７が突出方向にスライド操作されると、カンヌキ部材１１の外側面に付された着色マーク２３が受け金具６に形成された透視窓２４と重複するようになっており、透視窓２４の全体が着色マーク２３で埋められることを視認して、適正にスライド操作されたことを認識することができる。
【００４３】
スライドキー７が誤って突出スライドされていることに気付かずにドア２を閉じても、操作キー１８はカンヌキ部１１におけるガード部Ｇ（横辺部１１ｂ）の外形内に在るので、操作キー１８が受け金具６にぶつかることはない。
【００４４】
そして、マグネットキャッチ１３の吸着力に打ち勝ってスライドキー７を後退スライド操作すると、操作キー１８の抜き出しによってスイッチ本体５の接点切換えが行われて電源が切られるとともに、カンヌキ部材１１と受け金具６との係合がはずされてドア３の揺動開放が可能となる。
【００４５】
なお、カンヌキ部材１１の先端には透孔２５が形成されており、受け金具６の係合孔１２を貫通したカンヌキ部材１１の透孔２５に南京錠を掛けておくことで、出入り口２を閉鎖しておくことができるようになっている。
【００４６】
また、内部の作業エリアＡでメンテナンス作業や清掃作業を行う場合や、作業エリアＡの機器を休止させておく場合には、図１０に示すように、受け金具６に装着したタグ片１４を振り下げ回動して受け金具６の前面を覆い隠すロックアウト姿勢にし、スイッチ本体５を操作できない状態、つまり、作業エリアＡの機器を運転できない電源切り状態にしてドア３を開閉することができる。なお、上記作業時や機器を長期間に亘って休止させておく場合、などにおいては、ロックアウト姿勢のタグ片１４の下端に形成した孔２６と受け金具６の下端に形成した孔２７とに亘って南京錠を掛けて、タグ片１４を振り上げ開放できないようにしておくことができるようになっている。
【００４７】
本発明は、以下のような形態で実施することもできる。
【００４８】
（１）カンヌキ部材１１のスライド方向から見た断面形状を、外側縦辺部１１ａの上下に横辺部１１ｂを連設した内向き開放のコの字形に形成し、ガード部Ｇとしての上下の横辺部１１ｂで操作キー１８を保護するように構成することもできる。
【００４９】
（２）カンヌキ部材１１を、スイッチ本体５のヘッド部を囲繞する開口を有する角筒状あるいは円筒状に構成して、その内部に操作キー１８を位置させる形態で実施することも可能であり、この場合は、カンヌキ部材１１全体がガード部Ｇの機能を発揮する。
【００５０】
（３）ガード部Ｇを省略してもよい。
【図面の簡単な説明】
【００５１】
【図１】ドア閉じ状態にある出入り口の平面図
【図２】ドアスイッチにおけるスイッチ本体および受け金具を示す斜視図
【図３】突出スライド状態のスライドキーを示す斜視図
【図４】ドア閉じロック状態に操作されたドアスイッチ部を示す斜視図
【図５】スライドキーを後退スライドさせたドアスイッチ部の正面図
【図６】スライドキーを後退スライドさせたドアスイッチ部の平面図
【図７】ドアを閉じロックしたドアスイッチ部の正面図
【図８】ドアを閉じロックしたドアスイッチ部の平面図
【図９】カンヌキ部材と操作キーとの配置関係を示す縦断面図
【図１０】ロックアウト状態にセットされたドアスイッチ部の正面図
【符号の説明】
【００５２】
１              出入り口
３              ドア
４              固定枠
５              スイッチ本体
６              受け金具
７              スライドキー
１１            カンヌキ部材
１１ａ          外側縦辺部
１１ｂ          横辺部
１７            スライド板
１９            取っ手
Ｇ              ガード部
【図１】
2006140040.tif 000003
【図２】
2006140040.tif 000004
【図３】
2006140040.tif 000005
【図４】
2006140040.tif 000006
【図５】
2006140040.tif 000007
【図６】
2006140040.tif 000008
【図７】
2006140040.tif 000009
【図８】
2006140040.tif 000010
【図９】
2006140040.tif 000011
【図１０】
2006140040.tif 000012